(57)【要約】【課題】キャップの開口端よりクリップ後端が後方に突出していて、キャップよりも膨出形の（太くした）容器本体にキャップを装着しても、キャップのクリップ後端が容器本体に干渉しない塗布具を提供すること。【解決手段】容器前方に塗布先が配置され、又、その塗布先を覆うようにキャップが着脱自在に取り付けられ、更に、そのキャップは容器の後方にも着脱可能な塗布具であって、前記キャップに、そのキャップ本体よりも後方に延設形成されたクリップを設けると共に、前記容器にはクリップの非干渉部を形成した塗布具。【選択図】    図１
2004255856.tif 000002
【特許請求の範囲】
【請求項１】
容器前方に塗布先が配置され、又、その塗布先を覆うようにキャップが着脱自在に取り付けられ、更に、そのキャップは容器の後方にも着脱可能な塗布具であって、前記キャップに、そのキャップ本体よりも後方に延設形成されたクリップを設けると共に、前記容器にはクリップの非干渉部を形成したことを特徴とする塗布具。
【請求項２】
前記非干渉部を円周上の段部として形成したことを特徴とする請求項１記載の塗布具。
【請求項３】
前記非干渉部を部分的に形成した凹部としたことを特徴とする請求項１、或いは、請求項２に記載の塗布具。
【請求項４】
前記非干渉部を容器の長手方向に形成した平坦面としたことを特徴とする請求項１〜請求項３の何れかに記載の塗布具。
【請求項５】
前記非干渉形部を楕円状容器の短径側に設けたことを特徴とする請求項１〜請求項４の何れかに記載の塗布具。
【請求項６】
前記非干渉部を多角形状容器の辺部に設けたことを特徴とする請求項１〜請求項５の何れかにの塗布具。
【発明の詳細な説明】
【０００１】
【発明の属する技術分野】
本発明は、インキ吸蔵体にインキを含浸させて塗布先にインキを供給する中綿式の塗布具や、容器に内蔵したインキを塗布先に供給する直液式の塗布具に関する。
【０００２】
【従来の技術】
従来の塗布具は、塗布液を内蔵した容器本体と、この塗布液を塗布するために容器本体の前方に取り付けた塗布先と、この塗布先の乾燥防止及び保護を目的とする着脱容易なキャップとで構成したものが知られている。そして、キャップは塗布時の散逸を防止するため、容器本体後部にも装着できるようにしている。また、キャップには携帯に便利なように、クリップが設けられており、そのクリップは、容器本体の外径よりも突出し、さらに、意匠等の理由から、キャップの開口端よりクリップ後端が後方に突出するようにした塗布具が知られている。（特許文献１参照）。
【０００３】
【特許文献】
特開２００２−３６７８１号（図１）
【０００４】
【発明が解決しようとする課題】
キャップ部品を共通にして、塗布液容量を多くした、別の種類の容器本体を提供しようとする場合には、キャップよりも外径を大きくした容器本体が採用される。しかし、キャップの開口端よりもクリップの後端が後方に突出したキャップを前記容器本体、即ち、キャップよりも外径を大きくした容器本体に装着しようとすると、キャップのクリップ後端が容器本体に干渉してしまうという問題があった。つまり、キャップを容器に取り付けることができないのである。
そこで、容器本体の大径化に伴い、クリップが干渉しない様なクリップの形状にしても良いが、キャップの共通化が出来なくなってしまう。即ち、容器の種類ごとにキャップも形成・製造しなければならないのである。
そこで、本発明は、キャップの開口端よりもクリップの後端が後方に突出し、又、前記キャップよりも大径の容器本体に、そのキャップを装着してもキャップのクリップ後端が容器本体に干渉しない塗布具を提供することを課題とする。
【０００５】
【課題を解決するための手段】
本発明は、容器前方に塗布先が配置され、又、その塗布先を覆うようにキャップが着脱自在に取り付けられ、更に、そのキャップは容器の後方にも着脱可能な塗布具であって、前記キャップに、そのキャップ本体よりも後方に延設形成されたクリップを設けると共に、前記容器にはクリップの非干渉部を形成したことを要旨とする。
【０００６】
【実施例】
以下、本発明について添付図面を参照しながら、更に詳細に説明する。
図１に第一実施例を示す。図１は、キャップのみ断面で、キャップ以外は外観の正面図である。また、キャップを容器本体の後部に仮装着した状態をも示す（図中点線）。
参照符号１は、先端が開口した、有底筒状の容器本体である。容器本体１の後方には２段状に縮径した後中筒部１ａと後小筒部１ｂを設けている。
後小筒部１ｂの外径には、４本のリブを設けて後述するキャップ４を嵌められるようにしている。具体的に、容器本体１の外径部径は２０．２０±０．３０ｍｍ、後中筒部１ａの径は１５．４０±０．２０ｍｍ、後中筒部１ａの前後長さは７．００±０．２０ｍｍ、後小筒部１ｂの径は１２．２０±０．２０ｍｍ、４本のリブ外接径は１３．４０±０．１０ｍｍとなっている。
容器本体１の前方には、全体が筒状の前軸２を配置している。この前軸２は、前方から後方に向け、小筒状部２ａ、中筒状部２ｂ、大筒状部２ｃと、外形を後方に段状に膨らむように形成したものである。前軸２の大筒状部２ｃ外面には、軸方向前後に伸びるローレット模様を施し、前方から後方に少し太くなるようなテーパー状にしている。前軸２の大筒状部２ｃ内面と容器本体１前方外面とで、螺合方式で結合させている。具体的には、前軸２の大筒状部２ｃの前端径が１５．２０±０．２０ｍｍ、大筒状部２ｃの後端径が１５．４０±０．２０ｍｍとなっている。
【０００７】
前軸２の小筒状部２ａ前方には、先端内側から一部前方に突出するように、前後方向に多数の樹脂製繊維の各繊維向きを揃え、この多数の繊維同士を熱硬化性樹脂などで部分的に接着して連続気孔を形成した、先端がチズル形の塗布先３を配置している。
塗布先３から、後方の前軸２の中筒状部２ｂ迄を覆うようにして、略有底筒状のキャップ４を配置している。キャップ４外周の略前後中間位置には３本の周状突起部４ａを設けている。さらに、キャップ４と一体にクリップ４ｂを設けている。このクリップ４ｂは、キャップ４の前方外周の１点から外径方向に伸び、その後、軸前後の双方向に略板状に伸びるように設けている。クリップ４ｂの後端は、キャップ４の開口端より後方に突出している。クリップ４ｂの後端には、軸心側に向けて半円状の玉部を設け、この玉部の軸心側端部はキャップ４の開口部外径の延長位置に設けている。
【０００８】
キャップ４は前軸２の中筒状部２ｂとで、着脱容易なように各々凹凸リブが形成されており、乗り越え嵌合させている。前記キャップ４の周状突起部４ａは、キャップ４を外す時の手掛かりとなるように設けているものである。
具体的に、キャップ４の開口部外径は１５．２５±０．２０ｍｍ、開口部内径は１３．１０±０．２０ｍｍ、同内径に設けた凸状の４点のリブ内接径は１２．６６±０．０６ｍｍ、クリップ４ｂの幅は７．００±０．２０ｍｍ、クリップ４ｂのキャップ開口端より後方に突出した長さは６．５０±０．２０ｍｍとなっている。
故に、容器本体１の外径部径は、キャップ４の開口部外径より中心値で４．９５ｍｍ大径なものとなっている。又、容器本体１の後中筒部１ａの外径は、キャップ４のクリップ４ｂ後端の玉部軸心側端部が位置する径と、略同寸に設けている。さらに、また、容器本体１の後中筒部１ａの長さは、キャップ４のクリップ４ｂのキャップ開口端より後方に突出した長さよりも、中心値で０．５０ｍｍ長くしている。
尚、本実施例は、既存の製品の一部部品を変更して、別種の製品を提供しようとするものである。既存の製品との差異事項は、既存の製品より、筆跡が広くなるように塗布先３を太くし、かつ、塗布液内蔵量を増やせるように、容器本体１の外径部径を広げたものであり、キャップ４のクリップ４ｂは既存の製品とは変更のないものである。
【０００９】
【作用】
前記第一実施例では、キャップ４の開口端よりクリップ４ｂ後端が後方に突出し、かつ、キャップ４よりも大径な容器本体１の後部にキャップ４を装着しても、キャップ４のクリップ４ｂ後端が非干渉形状部１ｃとした後中筒部１ａに位置し、これによって、キャップ４のクリップ４ｂの後端は容器本体に干渉しなくなるのである。
【００１０】
図２、図３に第二実施例を示す。図２は、キャップを断面で、また、容器の一部を断面にした外観正面図である。また、キャップを容器本体の後部に仮装着した状態も示す（図中点線）。図３は、キャップを容器本体の後部に仮装着した状態の外観側面図である。塗布先３とキャップ４は、第一実施例と同一である。
容器本体１１には、前記第一実施例の容器本体１の後中筒部１ａと後小筒部１ｂの外径に設けた４本のリブが形成されていない。さらに、容器本体１１の外周後方には、キャップ４のクリップ４ｂの後端が干渉しないで収められるような凹部１１ａが容器本体の軸線方向に部分的に設けられている。また、容器本体１１の外周前方には、極部的な平坦面１１ｄも円周方向に設けている。以上の構成以外は、第一実施例の容器本体１と同じである。尚、後小筒部１１ｂ外径は、第一実施例の後小筒部１ｂの外径に設けた４本のリブの外接径と同寸法で設けている。容器本体１１の前方には、全体が略筒状の前軸１２を配置している。この前軸１２は、第一実施例の前軸２の大筒状部２ｃを除いたものであり、キャップ４の開口端後方に連続して、そのキャップ４よりも大径な容器本体１１を配置している。そして、前軸１２の中筒状部１２ｂの内面と容器本体１の前方外面とで、凹凸嵌合方式で結合させている。
【００１１】
この第二実施例における、キャップのクリップ後端が容器本体に干渉しない効果は、前記第一実施例と同様である。しかし、本実施例では、キャップ４の開口端後方に連続して、キャップ４よりも大径な容器本体を配置しても、キャップ４のクリップ４ｂ後端を非干渉形状部１１ｃとした極部的な平坦面１１ｄに位置させることができ、これによって、キャップ４のクリップ４ｂ後端は、容器本体の前後方ともに干渉しないのである。
【００１２】
図４と図５に第三実施例を示す。図４は、キャップを容器本体の後部に仮装着した状態の外観正面図である。図５は、図４塗布具のキャップを容器本体の後部に仮装着した状態の底面図である。キャップ４は、第一実施例と同一である。
容器本体２１の側面の一部には、キャップ４のクリップ４ｂ後端が干渉しないで配置しうるように、その容器本体２１の軸と並行な平坦面となす平坦部２１ａが設けられている。又、容器本体２１の後方には、第二実施例の後小筒部１１ｂと同様の後小筒部２１ｂが設けられている。
第三実施例での塗布具のキャップのクリップ後端が干渉しない効果は、第一実施例と同様である。又、本実施例では、非干渉形状部２１ｃである平坦状の平坦部２１ａを容器本体２１の前方に設けているので、前記第二実施例と同様に、キャップ４のクリップ４ｂ後端は容器本体の前・後で干渉しないものとなっている。
又、本実施例では、塗布具が机上等で転がろうとしても、容器本体２１の平坦部２１ａの稜線により、その回転慣性力を阻害されて、塗布具が転がり難くくなっている。塗布具が転がり難くなるので、机上等から塗布具が散逸し難くなるものである。
【００１３】
図６に第四実施例を示す。図６は、キャップを容器本体の後部に仮装着した状態の底面図である。キャップ４は、第一実施例と同一である。
容器本体３１は楕円筒状となっており、キャップ４のクリップ４ｂの後端が干渉しないように、容器本体３１の楕円筒状の短径側寸法（短径部３１ａ）がキャップ４の外径部寸法と同等となっている。又、容器本体３１の後方には、第二実施例の後小筒部１１ｂと同様の後小筒部３１ｂが設けられている。
この第四実施例における、クリップの後端が容器本体と干渉しない効果は、前記第二実施例と同様である。さらに、本実施例では、容器本体３１が楕円筒状となっており、非干渉形状部となす短径部３１ａが２面に設けられているので、キャップ４のクリップ４ｂの後端は容器本体の２面で干渉しないものである。又、容器本体３１を楕円筒状となすことによって、短径部が押し易くなり、これによって、容器本体３１が可撓性機能を求められる場合にはより適した実施例となる。
【００１４】
図７に第五実施例を示す。図７は、キャップを容器本体の後部に仮装着した状態の底面図である。キャップ４は、第一実施例と同一である。
容器本体４１は、その横断面形状が三角筒状である。これは、キャップ４のクリップ４ｂ後端が干渉しないで配置しうるように、容器本体４１の三角筒状の中心から辺部４１ａへの寸法（＝中心から非頂点側寸法）が、キャップ４の中心から外径部への寸法と同等となるように設けた例である。容器本体４１の後方には、キャップ４の開口部内径と圧接するように、三角筒状の後小筒部４１ｂが設けられている。
第五実施例における、塗布具のキャップのクリップ後端が干渉しない効果は、第三実施例と同様である。さらに、本実施例では、容器本体４１が三角筒状となっており、非干渉形状部となす辺部４１ａが３面に設けているため、キャップ４のクリップ４ｂ後端は容器本体の３面で干渉しないものとなっている。
更なる効果として、本例においては、容器本体４１が三角筒状をなしているので、その３面を親指・人差し指・中指と３本の指で保持することができ、よって、塗布時の手保持性により適した形状となっている。
尚、本実施例では、三角形状の容器本体を例示したが、四角形等の多角形状にしても良いし、各辺の長さが異なる偏平多角形状にしても良く、同様な効果を奏するものである。
【００１５】
【発明の効果】
本発明の塗布具は、容器前方に塗布先が配置され、又、その塗布先を覆うようにキャップが着脱自在に取り付けられ、更に、そのキャップは容器の後方にも着脱可能な塗布具であって、前記キャップに、そのキャップ本体よりも後方に延設形成されたクリップを設けると共に、前記容器にはクリップの非干渉部を形成したので、種々の外径に対応した共通のクリップ付きキャップを提供することができる。
【図面の簡単な説明】
【図  １】第一実施例正面図である。
【図  ２】第二実施例正面図である。
【図  ３】図２の側面図である。
【図  ４】第三実施例正面図である。
【図  ５】図４の底面図である。
【図  ６】第四実施例の底面図である。
【図  ７】第五実施例の底面図である。
【符号の説明】
１        容器本体
１ａ      後中筒部
１ｂ      後小筒部
１ｃ      非干渉形状部
１１      容器本体
１１ａ    凹部
１１ｂ    後小筒部
１１ｃ    非干渉形状部
１１ｄ    平坦面
１１ｅ    非干渉形状部
１２      前軸
２        前軸
２ａ      小筒状部
２ｂ      中筒状部
２ｃ      大筒状部
２１      容器本体
２１ａ    平坦部
２１ｂ    後小筒部
２１ｃ    非干渉形状部
３        塗布先
３１      容器本体
３１ａ    短径部
３１ｂ    後小筒部
４        キャップ
４ａ      周状突起部
４ｂ      クリップ
４１      容器本体
４１ａ    辺部
４１ｂ    後小筒部
【図１】
2004255856.tif 000003
【図２】
2004255856.tif 000004
【図３】
2004255856.tif 000005
【図４】
2004255856.tif 000006
【図５】
2004255856.tif 000007
【図６】
2004255856.tif 000008
【図７】
2004255856.tif 000009